(57)【要約】本発明は、流体またはペースト状の製品をケラチン繊維または皮膚（表皮）に塗布するためのアプリケーター器具（１）に関するものであり、長手方向軸Ｘに沿って延びる細長いコア（２）と、そのコアに分布した縦長円筒形を有する複数の突起（１０）を備え、突起の各々は、コアにおける固定端から自由端に向かって延びており、かつ、コアと一体となっており、そして、固定端から自由端にかけて、近位段、ブリッジセクション、遠位段を備えており、近位段とブジッジセクションの少なくとも１つが、柔軟性の高いリンクを形成する。
2021532919.tif 000002
【特許請求の範囲】
【請求項１】
液体またはペースト状の製品をケラチン繊維または皮膚に塗布するためのアプリケーター器具（１；３；３ａ；３Ｂ；４；５；６；７；８；２０２０；３０２０）であって、
長手方向軸Ｘに沿って延びた縦長円筒形の細長いコア（２；２０００；３０００；３００９）と、
前記コア上に分布する多数のスパイクであって、
前記スパイクの各々が、前記コアにおける固定端（１４）から自由端（１２）まで延  びており、
前記コアと一体となっている、スパイクと
を備え
それぞれのスパイクが、固定端から自由端までにおいて、
近位段（３、１１３、２１３、３１３、５１３、６１３、７１３、７２３、７３      ３、７３４、１０１３、１６１３、１７１３、１８１３）と、
ブリッジ（１５、２１５、３１５、５１５、６１５、７１５、７２５、１０１５      、１６１５、１７１５、１８１５）と、
遠位段（１１、３１１、１１ａ、１１ｂ、１７、１８、５１１、６１１、１０１      １、１０１１Ｂ、１１１１、１６１１、１６１７、１７１１、１７１７）を備え、
前記近位段および前記ブリッジのうち、少なくともなくとも１つが柔軟性の高いリンク
を形成することを特徴とするとするアプリケーター器具。
【請求項２】
請求項１に記載のアプリケーター器具であって、前記近位段は、前記固定端と前記ブリッジの間に、前記柔軟性の高いリンクを形成することを特徴とするアプリケーター器具。
【請求項３】
請求項１または２に記載のアプリケーター器具であって、前記ブリッジは、前記近位段と前記遠位段の間に、前記柔軟性の高いリンクを形成することを特徴とするアプリケーター器具。
【請求項４】
請求項１から３のいずれか１項に記載のアプリケーター器具であって、前記近位段（１３、１１３、２１３、３１３、５１３、６１３、７１３、７２３、７３３、７３４）は、湾曲した形状、特に円弧状を有することを特徴とするアプリケーター器具。
【請求項５】
請求項４に記載のアプリケーター器具であって、前記スパイクは、前記ブリッジと前記コアの間に延び、前記遠位段を支持する柔軟性の高い脚（１６）を備えることを特徴とするアプリケーター器具。
【請求項６】
請求項１から５のいずれかに記載のアプリケーター器具であって、前記近位段（７１３、７２３、７３３、７３４）は、２つ脚を備える柔軟性の高いアーチを備え、前記ブリッジは前記アーチの中央に配置されることを特徴とするアプリケーター器具。
【請求項７】
請求項６に記載のアプリケーター器具であって、隣接する２つの前記スパイクは、それぞれ柔軟性の高いアーチを備え、隣接する２つの前記柔軟性の高いアーチは、互いに共通の脚を備えることを特徴とするアプリケーター器具。
【請求項８】
請求項７に記載のアプリケーター器具であって、前記共通の脚（７１３ｂ、７１３ｃ）は、前記アーチの外周面から離れた位置に伸びていることを特徴とするアプリケーター器具。
【請求項９】
請求項１から８のいずれかに記載のアプリケーター器具であって、前記遠位段は、
主延長部（１１、３１１、１１ａ、５１１、６１１、１１１１、１６１１、１７１７  ）と、
少なくとも１つの副延長部（１１ｂ、１７、１８、１０１１、１０１１ｂ、１６１７  、１７１１）と、
を備えることを特徴とするアプリケーター器具。
【請求項１０】
請求項９に記載のアプリケーター器具であって、前記副延長部は、前記主延長部から突出して延びていることを特徴とするアプリケーター器具。
【請求項１１】
請求項９に記載のアプリケーター器具であって、前記副延長部は、前記ブリッジから突出して延びていることを特徴とするアプリケーター器具。
【請求項１２】
請求項９から１１のいずれかに記載のアプリケーター器具であって、前記遠位段は、２つから４つの前記副延長部を備えることを特徴とするアプリケーター器具。
【請求項１３】
請求項１２に記載のアプリケーター器具であって、各々の前記副延長部は、独立に関連付けられた前記ブリッジを形成する柔軟性の高いリンクから突出して伸びていることを特徴とするアプリケーター器具。  
【請求項１４】
請求項１から１３のいずれかに記載のアプリケーター器具であって、前記コア（２０００、３０００、３００９）は、中空であることを特徴とするアプリケーター器具。
【請求項１５】
請求項１４に記載のアプリケーター器具であって、前記コア（２０００、３０００）は、長手方向軸Ｘに平行な縦のスリットを備えることを特徴とするアプリケーター器具。
【請求項１６】
請求項１４または１５に記載のアプリケーター器具であって、前記アプリケーター器具は、
サポート（２０２１、３０２１、３１２０、３２２０、３３２０、３４２０、３５２  ０、３６２０）を備え、
前記コアが前記サポート上で受容されるように展開することができる
ことを特徴とするアプリケーター器具。
【請求項１７】
請求項１６に記載のアプリケーター器具であって、前記サポート（３５２０、３６２０）は、製品を前記サポートの端部または中空の前記コアに導くための導管（３０２５、３１２５）を備えることを特徴とするアプリケーター器具。
【請求項１８】
請求項１７に記載のアプリケーター器具であって、前記アプリケーター器具は、前記導管内の製品Ｐの流れを付与するための手段を、さらに備えることを特徴とするアプリケーター器具。
【請求項１９】
請求項１から１８のいずれかに記載のアプリケーター器具であって、前記スパイクは、前記コア上に隣接する列となって分布しており、同じ列の前記スパイクは同一の方向を向いており、隣接する列の前記スパイクは異なる方向を向いていることを特徴とするアプリケーター器具。
【請求項２０】
請求項１９に記載のアプリケーター器具であって、前記隣接する列のスパイクは、90°または180°に向けられていることを特徴とするアプリケーター器具。
【発明の詳細な説明】
【技術分野】
【０００１】
本発明は、液体またはペースト状の製品をケラチン繊維または皮膚に塗布するためのアプリケーター器具に関する。とりわけ、本発明は、コスメティック用品、メイクアップ用品、またはケア用品を、毛髪、まつげ、眉毛、皮膚または唇に塗布するためのアプリケーター器具に関する。
【背景技術】
【０００２】
一般には、例えばマスカラブラシのように、液体またはペースト状の製品をケラチン繊維に塗布するためのアプリケーター器具があり、そのアプリケーター器具は、長手方向軸に沿って延びる細長い形状をした中心コアと、少なくとも１つの、コアに埋め込まれた第１の端部と自由な第２に端部を有する、細長いスパイクの列を備える。通常、スパイクとコアは成形により１つの部品として形成され、互いに一体となっている。例えば、特許文献１は、そのようなアプリケーター器具について述べている。このタイプの製造における１つの欠点は、スパイクがモノリシックであり、とりわけ技術的な成形上の理由から、コアに埋め込まれた端部が、自由端におけるスパイクの断面より大きい断面を有することである。このため、スパイクは、用いられる素材に関わらず、比較的柔軟性に欠ける。実際に、スパイクは、アプリケーター器具の使用時において、自由端がケラチン繊維（または皮膚）と正面からまたは側面から接触した際、一定の抵抗を与え得る。その結果、スパイクは、例えば、まつ毛を化粧する際にまぶたを突く、あるいは、眉毛の処理において皮膚を突く、その他にも唇や頭皮を突くことにもなる。
【０００３】
この快適性の問題に対する第１の解決策は、従来と同様に大きい断面積を有する円錐状の固定端と、スパイクの先端が皮膚を突かないように折れ曲がることを可能にするだけの柔軟性を有する自由端とを備えるスパイクについて記載した、特許文献２によって提供されている。しかし、この解決策には２つの欠点がある。第１に、自由端の柔軟性、およびそれが後ろに曲がっているという事実により、使用中にケラチン繊維を解きほぐすことができなくなるということがある。他にも、スパイクの基部が高い剛性を有するため、その剛性の高いスパイクの基部の間にある製品が、ケラチン繊維または皮膚に当てられるスパイクの自由端まで上昇することができない。
【先行技術文献】
【特許文献】
【０００４】
【特許文献１】仏国特許第２９３７５１４号公報
【特許文献２】米国特許出願公開第２０１２／１７０９６５号明細書
【発明の概要】
【課題を解決するための手段】
【０００５】
本発明における目的の１つは、ユーザーに対し、向上させた快適さを感じながら製品の最適な塗布を可能にする、液体またはペースト状の製品を塗布するためのアプリケーター器具を提供することである。
【０００６】
この目的のため、本発明によれば、液体またはペースト状の製品をケラチン繊維や皮膚（表皮）に塗布するためのアプリケーター器具であって、長手方向軸Ｘに沿って延びた縦長円筒形の細長いコアと、
コア上に分布する多数のスパイクであって、
スパイクの各々が、コアにおける固定端から自由端まで延びており、
コアと一体となっているスパイクと
を備え、
それぞれのスパイクが、固定端から自由端までにおいて、近位段、ブリッジ、および遠位段を備え、近位段およびブリッジのうちの少なくとも１つが柔軟性の高いリンクを形成することを特徴とする、アプリケーター器具を提供する。
【０００７】
したがって、このような構造のスパイクは、ケラチン繊維をガイドしながら解きほぐすことができるよう、十分な剛性を有する遠位段を保持することを可能にし、ダンパーとして機能する近位段、および／またはブリッジによって形成された柔軟性の高いリンクは、スパイクの自由端が皮膚と接触する際に、突く感覚を解消することを可能にする。このような、使用中におけるスパイクの基部で得られた変形は、この時点で存在する製品をスパイクの自由端へ上昇させることを可能にする。
【０００８】
任意ではあるが、有利には、本発明によるアプリケーター器具は、以下の技術的特徴のうちの少なくとも１つを有する：
−近位段は、固定端とブリッジの間に、柔軟性の高いリンクを形成する；
−ブリッジは、近位段と遠位段の間に、柔軟性の高いリンクを形成する；
−近位段は、湾曲した形状、特に円弧状を有する；
−スパイクは、ブリッジとコアの間に延び、遠位段を支持する柔軟性の高い脚を備える；
−近位段は、２つの脚を備える柔軟性の高いアーチを備え、ブリッジはアーチの中央に配置される；
−隣接する２つのスパイクは、それぞれ柔軟性の高いアーチを備え、その隣接する２つの柔軟性の高い前記アーチは、互いに共通の脚を備える；
−共通の脚は、アーチの外周面から離れた位置に伸びている；
−遠位段は、主延長部と、少なくとも１つの副延長部を備える；
−副延長部は主延長部から突出して延びている；
−副延長部はブリッジから突出して延びている；
−遠位段は、２つから４つの副延長部を備えている；
−各副延長部は、柔軟性の高いリンクを形成する、独立した関連ブリッジから突出して延びている；
−コアは、中空である；
−コアは、長手方向軸Ｘに平行な縦のスリットを備える；
−アプリケーター器具は、サポートを備え、コアがサポート上で受容されるように展開することができる；
−サポートは、製品をサポートの端部または中空のコアに導くための導管を備える；
−アプリケーター器具は、導管内の製品Ｐの流れを付与するための手段を、さらに備える；
−スパイクは、コア上に隣接する列となって分布しており、同じ列のスパイクは同一の方向を向いており、隣接する列のスパイクは異なる方向を向いている；
−隣接する列のスパイクは、90°または180°に向けられている。
【図面の簡単な説明】
【０００９】
本発明の他の特徴および利点は、本発明の実施形態の以下の説明を読むことで明らかになるであろう。
【図１ａ】本発明によるアプリケーター器具の、スパイクの第１の実施形態を示す立体図である。
【図１ｂ】本発明によるアプリケーター器具の、スパイクの第１の実施形態を示す平面図である。
【図１ｃ】本発明によるアプリケーター器具の、スパイクの第１の実施形態を示す側面図である。
【図１ｄ】本発明によるアプリケーター器具の、スパイクの第１の実施形態を示す正面図である。
【図２】図１に示すスパイクの、変形例を示す図である。
【図３】図１に示すスパイクの、変形例を示す図である。
【図４ａ】図１に示すスパイクの、変形例の立体図である。
【図４ｂ】図１に示すスパイクの、変形例の平面図である。
【図５ａ】図１に示すスパイクの、変形例の立体図である。
【図５ｂ】図１に示すスパイクの、変形例を側面図である。
【図６】図１に示すスパイクの、変形例を示す図である。
【図７】図１に示すスパイクの、変形例を示す図である。
【図８】図１に示すスパイクの、変形例を示す図である。
【図９】図１に示すスパイクの、変形例を示す図である。
【図１０】図１に示すスパイクの、変形例を示す図である。
【図１１】図１に示すスパイクの、変形例を示す図である。
【図１２】図１に示すスパイクの、変形例を示す図である。
【図１３ａ】図１に示すスパイクの、変形例の立体図である。
【図１３ｂ】図１に示すスパイクの、変形例の側面図である。
【図１４ａ】図１に示すスパイクの、変形例の正面図である。
【図１４ｂ】図１に示すスパイクの、変形例を側面図である。
【図１５】本発明によるアプリケーター器具の、図１の複数のスパイクを備えた実施形態を示す立体図である。
【図１６ａ】本発明によるアプリケーター器具の、スパイクの第２の実施形態を示す立体図である。
【図１６ｂ】本発明によるアプリケーター器具の、スパイクの第２の実施形態を示す平面図である。
【図１６ｃ】本発明によるアプリケーター器具の、スパイクの第２の実施形態を示す側面図である。
【図１６ｄ】本発明によるアプリケーター器具の、スパイクの第２の実施形態を示す正面図である。
【図１７ａ】図１６に示すスパイクの、変形例の側面図である。
【図１７ｂ】図１６に示すスパイクの、変形例の平面図である。
【図１８】図１６に示すスパイクの、変形例を示す図である。
【図１９】本発明によるアプリケーター器具の、図１６の複数のスパイクを備えた実施形態を示す立体図である。
【図２０】本発明によるアプリケーター器具の、図１６の複数のスパイクを備えた実施形態を示す正面図である。
【図２１】図１９に示すアプリケーター器具の、変形例の側面図である。
【図２２】図１９に示すアプリケーター器具の、変形例の側面図である。
【図２３】本発明によるアプリケーター器具の、図２５および図２６に示す複数のスパイクを備えた実施形態の立体図である。
【図２４】本発明によるアプリケーター器具の、図２５および図２６に示す複数のスパイクを備えた実施形態の正面図である。
【図２５ａ】本発明によるアプリケーター器具の、スパイクの第３の実施形態を示す立体図および立体図である。
【図２５ｂ】本発明によるアプリケーター器具の、スパイクの第３の実施形態を示す立体図および平面図である。
【図２６】図２５に示すスパイクの、変形例を示す図である。
【図２７ａ】図２５に示すスパイクの、変形例の立体図である。
【図２７ｂ】図２５に示すスパイクの、変形例の平面図である。
【図２８】図２５に示すスパイクの、変形例を示す図である。
【図２９】図２５に示すスパイクの、変形例を示す図である。
【図３０ａ】図２５に示すスパイクの、変形例の立体図である。
【図３０ｂ】図２５に示すスパイクの、変形例の平面図である。
【図３１ａ】図２５に示すスパイクの、変形例の立体図である。
【図３１ｂ】図２５に示すスパイクの、変形例の平面図である。
【図３２ａ】図２５に示すスパイクの、変形例の立体図である。
【図３２ｂ】図２５に示すスパイクの、変形例の側面図である。
【図３３ａ】図２５に示すスパイクの、変形例の立体図である。
【図３３ｂ】図２５に示すスパイクの、変形例の平面図である。
【図３３ｃ】図２５に示すスパイクの、変形例の平面図である。
【図３４ａ】図２５に示すスパイクの、変形例の立体図である。
【図３４ｂ】図２５に示すスパイクの、変形例の平面図である。
【図３４ｃ】図２５に示すスパイクの、変形例の平面図である。
【図３５ａ】図２５に示すスパイクの、変形例の立体図である。
【図３５ｂ】図２５に示すスパイクの、変形例を正面図である。
【図３５ｃ】図２５に示すスパイクの、変形例を平面図である。
【図３５ｄ】図２５に示すスパイクの、変形例を側面図である。
【図３６ａ】図２５に示すスパイクの、変形例の立体図である。
【図３６ｂ】図２５に示すスパイクの、変形例の側面図である。
【図３６ｃ】図２５に示すスパイクの、変形例の平面図である。
【図３６ｄ】図２５に示すスパイクの、変形例の正面図である。
【図３７】本発明によるアプリケーター器具の、図１４に示す複数のスパイクを備えた実施形態を示す立体図である。
【図３８】本発明によるアプリケーター器具の、図１４に示す複数のスパイクを備えた実施形態を示す正面図である。
【図３９】本発明によるアプリケーター器具の、図２７および図３４に示す複数のスパイクを備えた実施形態を示す立体図である。
【図４０】本発明によるアプリケーター器具の、図１４に示す複数のスパイクを備えた実施形態を示す正面図である。
【図４１】本発明によるアプリケーター器具の、図２に示す複数のスパイクを備えた実施形態の立体図である。
【図４２ａ】展開可能な、中空のコアの第１の実施形態の立体図である。
【図４２ｂ】展開可能な、中空のコアの第１の実施形態を展開したときの立体図である。
【図４３ａ】本発明によるアプリケーター器具の、関連するサポートの第１の実施形態における、図４２のコアの取り付けを示す立体図である。
【図４３ｂ】本発明によるアプリケーター器具の、関連するサポートの第１の実施形態における、図４２のコアの取り付けを示す立体図である。
【図４３ｃ】本発明によるアプリケーター器具の、関連するサポートの第１の実施形態における、図４２のコアの取り付けを示す立体図である。
【図４４ａ】展開可能な中空のコアの、第２の実施形態を示す立体図である。
【図４４ｂ】展開可能な中空のコアの、第２の実施形態を示す正面図である。
【図４４ｃ】展開可能な中空のコアの、第２の実施形態を示す側面図である。
【図４５ａ】本発明によるアプリケーターデバイスの、関連するサポートの第２の実施形態における、図４４に示したコアの取り付けを示す立体図である。
【図４５ｂ】本発明によるアプリケーターデバイスの、関連するサポートの第２の実施形態における、図４４に示したコアの取り付けを示す立体図である。
【図４５ｃ】本発明によるアプリケーターデバイスの、関連するサポートの第２の実施形態における、図４４に示したコアの取り付けを示す立体図である。
【図４６】図４４に示す、コアに関連するサポートの第２の実施形態の、変形例を示す図である。
【図４７ａ】図４４に示す、コアに関連するサポートの第２の実施形態の、変形例の立体図である。
【図４７ｂ】図４４に示す、コアに関連するサポートの第２の実施形態の、変形例の側面図である。
【図４８ａ】図４４に示す、コアに関連するサポートの第２の実施形態の、変形例の立体図である。
【図４８ｂ】図４４に示す、コアに関連するサポートの第２の実施形態の、変形例の側面図である。
【図４９】図４４に示す、コアに関連するサポートの第２の実施形態の、変形例を示す図である。
【図５０】図４５に示す、コアに関連するサポートの変形例の、ＬＩ−ＬＩに沿った平面図である。
【図５１】図４５に示す、コアに関連するサポートの変形例の、ＬＩ−ＬＩに沿った断面図である。
【図５２】図４４に示す、中空のコアが取り付けられた図５０のコアに関連するサポートの立体図であり、コスメティック用品の流れを示す図である。
【図５３】図４６に示す、コアに関連するサポートの変形例の、ＬＩＶ−ＬＩＶに沿った平面図である。
【図５４】図４６に示す、コアに関連するサポートの変形例の、ＬＩＶ−ＬＩＶに沿った断面図である。
【図５５】中空のコアが取り付けられた図５３のコアに関連したサポートと、コスメティック用品の流れを示した立体図である。
【図５６】中空のコアが取り付けられた図５３のコアに関連したサポートと、コスメティック用品の流れを示した立体図である。
【図５７】本発明よるアプリケーター器具の、図５３から図５６に示したコアに関連するサポートを備えた変形例の側面図である。
【図５８】本発明よるアプリケーター器具の、図５３から図５６に示したコアに関連するサポートを備えた変形例の側面図である。
【００１０】
より明確にするために、同一または類似の要素は、図全体を通して同一の符号によって識別される。
【発明を実施するための形態】
【００１１】
図１５を参照して、本発明によるアプリケーター器具１の第１の実施形態を、以下に説明する。本発明によるアプリケーター器具１は、ここでは、マスカラブラシである。ここでは、マスカラブラシは長手方向軸Ｘに沿って、縦に延びるコア２を備える。コア２が有する断面積は、長さ方向にわたって一定であっても、そうでなくてもよい。最も一般的な実施形態では、断面は一定であるか、チューブ及び／又はグリップシャフトと係合する近位端から遠位自由端に向かって断面積が減少するかの、いずれかである。一般に、コア２は全体的に円筒形状であり、好ましくは、回転軸は長手方向軸Ｘである。したがって、コア２の断面は、円形、多角形、楕円形、または他の形状を有することができる。軸対称とすることも可能である。コア２は、中実であっても、中空であってもよい。当業者は、経済的および／または技術的制約に従って、最も適切なコアを選択するだろう。
【００１２】
また、本発明によるアプリケーター器具１は、コア２上に分布した複数のスパイク１０を備える。スパイク１０は、コア２の外表面から突出して延びている。スパイク１０は、例えば、コア２と一体で作られる。とりわけ、スパイク１０はコア２と一緒に、成形によって得られる。図中に示されるように、スパイク１０は、長手方向軸Ｘに対して平行に延びた一対の隣接する列に分布している。同じ列のスパイク１０は、コア２から互いに平行に、同じ配向に従って同一方向に延びている。ここで、２つの隣接する列を考慮すると、隣接する列の一方のスパイク１０は、例えば図１５に示すように、隣接する列の他方のスパイク１０とは異なる方向に、例えば１８０°で配向される。変形例としては、配向は９０°である。
【００１３】
図１を参照して、本発明によるアプリケーター器具に対するスパイク１０の、第１の実施形態に関するより詳細な説明を、以下に述べる。スパイク１０は、固定端１４および自由端１２を備える。固定端１４は、本発明によるアプリケーター器具１のコア２に連結されている。それゆえ、スパイク１０は、平面Ｐを対称に、固定端１４から自由端１２まで延びている。スパイク１０は、固定端１４から近位段１３とそれに続くブリッジ１５、次いで自由端１２によって終端される遠位段１１を備える。ブリッジ１５は、近位段１３と遠位段１１との間の接合部として機能する。ここで遠位段１１は、テーパー形状を有する主延長部を備える。近位段１３は、ここでは、クロスのような湾曲した形状であり、その頂点は、ここでは、その頂点の位置より低い位置に設置されるブリッジ１５から離れて配置されている。変形例として、ブリッジ１５は、近位段１３の湾曲した形状の頂点レベルに配置される。この近位段１３の湾曲した形状は、近位段１３に一定の柔軟性を与えることを可能にする。このように、近位段１３は、固定端１４（それゆえ、本発明によるアプリケーター器具１のコア２）とブリッジ１５との間に柔軟性の高いリンクを形成する。
【００１４】
異なる変形例によれば、ブリッジ１５は、近位段１３の湾曲した形状における自由端上に配置されており、この近位段１３の湾曲した形状における自由端は、軸Ｘに対して平行となり得る方向（すなわち、ブリッジ１５は、近位段１３の湾曲した形状における頂点レベルに位置する）、または、軸Ｘにより近づく方向（すなわち、ブリッジ１５は、近位段１３の湾曲した形状における頂点レベルより低い高さに位置する）、あるいは、逆に、軸Ｘから遠ざかる方向に、エプロンを形成する。
【００１５】
図２に示されたスパイク１０の変形例によれば、スパイク１１０の近位段１１３は、４分の１円弧の形状をしている。
【００１６】
図３に示されるスパイク１０の第２の変形例よれば、スパイク２１０の近位段２１３は、より薄くされ、対称面Ｐ内に含まれる平面２０１を有する。この平面２０１は、ブリッジ２１５において、近位段２１３に加えられた一定の柔軟性を、ブリッジ２１５にも付与するよう継続されている。ここでも、ブリッジ１５に関する異なる変形例によれば、ブリッジ２１５は、近位段２１３の湾曲した形状における自由端上に配置されており、この近位段２１３の湾曲した形状における自由端は、軸Ｘに対して平行となり得る方向（すなわち、ブリッジ２１５は、近位段２１３の湾曲した形状における頂点レベルに位置する）、または、軸Ｘにより近づく方向（すなわち、ブリッジ２１５は、近位段２１３の湾曲した形状における頂点レベルより低い高さに位置する）、あるいは、逆に、軸Ｘから遠ざかる方向に、エプロンを形成する。
【００１７】
図４に示されたスパイク１０の第３の変形例によれば、スパイク３１０の近位段３１３は、前述と同様に薄くされ、対称面Ｐ内に含まれる平面３０１を有する。また、遠位段３１１は、その一部をより薄くし、同様に対称面Ｐ内に含まれる平面３０２を有する。この配置は、近位段３１３が対称面Ｐの片側に延びているのに対し、遠位段３１１は対称面Ｐの反対側に延びるようになっている。また、平面３０２は、ブリッジ３１５内で継続され、近位段３１３の柔軟性に追加される一定の柔軟性をブリッジ３１５に付与する。ここでも、ブリッジ１５、２１５に関する異なる変形例によれば、ブリッジ３１５は、近位段３１３の湾曲した形状における自由端上に配置されており、この近位段３１３の湾曲した形状における自由端は、軸Ｘに対して平行となり得る方向（すなわち、ブリッジ３１５は、近位段３１３の湾曲した形状における頂点レベルに位置する）、または、軸Ｘにより近づく方向（すなわち、ブリッジ３１５は、近位段３１３の湾曲した形状における頂点レベルより低い高さに位置する）、あるいは、逆に、軸Ｘから遠ざかる方向に、エプロンを形成する。
【００１８】
図５は、スパイク１０の第４の変形例を示している。スパイク４１０は、主延長部が対称面Ｐと角度αを形成するように配向された遠位段１１を備えるという点で、スパイク１０と区別される。図６に示す変形例４１１においては、主延長部は対称面Ｐ内にあるが、縦方向に対して角度が付いている。より一般的には、この変形例では、主延長部は頂点２で角度αの円錐内に含まれる配向を有し、その頂点２はブリッジ１５のレベルに位置する。
【００１９】
図７から図９には、スパイク１０の第５の変形例が示されており、そこでは傾斜が図示されている。スパイク１０１は、ブリッジ１５から突出し、互いに角度を形成して延びる主延長部１１ａ、および副延長部１１ｂを含む遠位段を備えている。スパイク１０２は、主延長部１１ａと、主延長部１１ａの側壁面から突出して延びる副延長部１７を含む遠位段を備えている。スパイク１０３は、近位段１３から突出して延びる主延長部１１ａおよび副延長部１８を含む遠位段を備えている。
【００２０】
スパイク１０の第６の変形例が、図１０に示されている。スパイク１０４は、その近位段１３において、ブリッジ１５とコア２との間に延び、遠位段１１を支持する、柔軟性の高い脚１６をさらに備える。柔軟性の高い脚１６の柔軟性は、近位段１３がスパイク１０４の自由端１２を押圧したときに、ブリッジ１５と固定端１４との間に柔軟性の高いリンクを静置するようなものである。ただし、柔軟性の高い脚１６は、スパイク１０４が、使用中に、その自由端１２で、液体製品を含むチューブのスキージのリップと接触するとき、および本発明によるアプリケーター器具１が格納されているとき、延伸または後方への傾斜から防止しながら、スパイク１０４を保持する。図１１および図１２は、それぞれ柔軟性の高い脚１６を構成するスパイク１０２および１０１の変形例１０５および１０６を、それぞれ示している。
【００２１】
図１３は、スパイク１０の第７の変形例を示している。この変形例のスパイク５１０は、固定端１４から自由端１２までにおいて、近位段５１３、ブリッジ５１５、および遠位段５１１を備える。さらに、スパイク５１０は、スパイク５１０の全高にわたって延在し、円Ｃに係合する側面５１４を備える。円Ｃは、長手方向軸Ｘに対して直角な平面内にあり、長手方向軸Ｘと円Ｃ上の円Ｃ面との交点にある。スパイクの面を支持する円Ｃのこのような構成は、より包括的な情報について参照することができる、特許文献１に詳細に記載されている。
【００２２】
ここでまた、ブリッジ１５、２１５、３１５に関する異なる変形例によれば、ブリッジ５１５は、近位段５１３の湾曲した形状における自由端上に配置されており、この近位段３１３の湾曲した形状における自由端は、軸Ｘに対して平行となり得る方向（すなわち、ブリッジ５１５は、近位段５１３の湾曲した形状における頂点レベルに位置する）、または、軸Ｘにより近づく方向（すなわち、ブリッジ５１５は、近位段３１３の湾曲した形状における頂点レベルより低い高さに位置する）、あるいは、逆に、軸Ｘから遠ざかる方向に、エプロンを形成する。
【００２３】
スパイク１０の第８の変形例が図１４に示されている。この変形例のスパイク６１０は、固定端１４から自由端１２まで、近位段６１３、ブリッジ６１５、および遠位段６１１を備える。ここでの主な相違点は、固定端１４がブリッジ６１５に対して実質的に垂直に位置しており、スパイク６１０が横から見たときに歪んだＳ字形状を与えているという事実にある（図１４ａ）。正面から見た場合（図１４ｂ）、スパイク６１０は、対称面Ｐに含まれる。
【００２４】
図３７および図３８は、本発明によるアプリケーター器具５の実施形態における、複数のスパイク６１０の配列を示している。前述の通り、同じ列のスパイク６１０は、コア２から、互いに平行に、同一の方向に延びている。ここでは、スパイク６１０の対称面Ｐは長手方向軸Ｘに対して実質的に直角である。ここでも、２つの隣接する列を考えると、隣接する列の一方のスパイクは互いに長手方向にオフセットされながら、もう一方のスパイクとは１８０°異なって配向される。したがって、図３８に示された正面図においては、本発明によるアプリケーター器具５はコア２の円周上に一様に分布する一連のローブ（ここでは５個）を提示する。
【００２５】
図４０は、本発明によるアプリケーター器具７の一実施形態における、複数のスパイク６１０の別の配列を示している。同じ列のスパイク６１０は、コア２から互いに平行に、同じ配向に従って同一方向に延びているが、ここでは、スパイク６１０の対称面Ｐは実質的に長手方向軸Ｘに沿っている。またここでも、２つの隣接する列を考えると、隣接する列の一方のスパイクは互いに長手方向にオフセットされながら、もう一方のスパイクとは１８０°異なって配向される。
【００２６】
図４１は、本発明によるアプリケーター器具８の一実施形態における、複数のスパイク１１０の同様の配列を示している。
【００２７】
次いで、図１６から図２２を参照し、本発明によるアプリケーター器具用のスパイク７１０の第２の実施形態の説明が、以下に述べられる。スパイク７１０は、近位段が、互いに鏡写しとなる対称な２つの湾曲した形状７１３によって作り出されたアーチを構成するという点で、前述のスパイク１０とは異なる。ここで、湾曲した形状７１３の各々は、前述したスパイク１０の近位段１３に類似している。ブリッジ７１５は、それぞれが固定端１４から延びる固定脚を形成する２つの湾曲した形状７１３の接合部に位置している。遠位段１１は、ブリッジ７１５から自由端１２まで延びている。
【００２８】
図１７に示される第１の変形例において、スパイク７２０は対称面Ｐに含まれる平面７２６を有する、より薄いアーチ７２３を備えている。この平面７２６はブリッジ７２５で接続され、近位段の柔軟性に追加される一定の柔軟性を提供する。
【００２９】
図１８に示された第２の変形例において、スパイク７３０はそれぞれが対称面Ｐ内に含まれる平坦な面７２６および７３６を有する、２つのより薄い湾曲した形状７３３および７３４によって形成されたアーチを備える。この配置では、湾曲した形状のうちの一方の湾曲した形状７３３が対称面Ｐの一方に延びているのに対し、もう一方の湾曲した形状７３４は対称面Ｐの他方側に延びているようになっている。
【００３０】
ここでまた、ブリッジ１５，２１５，３１５に関する異なる変形例によれば、ブリッジ７１５，７２５は、近位段７１３，７２３，７３３，７３４の湾曲した形状の自由端上に配置されており、この近位段７１３，７２３，７３３，７３４の湾曲した形状の自由端は、Ｘ軸に平行となり得る方向（すなわち、ブリッジ７１５，７２５は、近位段７１３，７２３，７３３，７３４の湾曲した形状における頂点のレベルに位置している）か、Ｘ軸に近づく方向（ブリッジ７１５，７２５は、近位段７１３、７２３，７３３，７３４の湾曲した形状における頂点の高さよりも、低い高さに位置している）か、あるいは、それとは逆に、軸Ｘから遠ざかる方向に、エプロンを形成している。
【００３１】
図１９および図２０は、本発明によるアプリケーター器具３における、複数のスパイク７１０の配列を示している。前述の通り、同じ列のスパイク７１０は、コア２から互いに平行に、同じ配向に従って同一方向に延びている。例えば、上から下への列は、対称面Ｐが長手方向軸Ｘに対して実質的に直角であるスパイク７１０を備えており、一方、上から下へのこれら２つの列に隣接する列のスパイク７１０は、対称面Ｐがコア２の長手方向軸Ｘを実質的に通過するよう９０°に配向されている。また、スパイク７１０は、上から１つと近接する列から２つの、３つの隣接するスパイク７１０が共通の固定脚７１３ａを有するように配置されている。図２１に示される変形例では、本発明によるアプリケーター器具３ａにおいて、この共通の固定脚７１３ｂが、静止時に、コア周辺の表面から離れた位置および対面する位置に延びるよう短くされている。この場合、固定脚７１３ｂは、本発明によるアプリケーター器具３ａの使用過程において、この共通の固定脚７１３ｂを有するスパイク７１６の柔軟性を変更することを可能にするベアリング台として機能する。図２２に示されるもうひとつの変形例では、本発明によるアプリケーター器具３ｂの共通の固定脚７１３ｃは、スパイク７１８の間の一つの接合部に減じている。共通の固定脚７１３ａ、７１３ｂおよび７１３ｃはスパイク７１０、７１６、７１７および７１８と、同じ配列で混在させることが可能である。それにより、本発明によるアプリケーター器具のスパイクの柔軟性を変調することが可能となる。
【００３２】
次いで、図２３から図２６を参照し、本発明によるアプリケーター器具４用のスパイクの第３の実施形態を以下に述べる。スパイク１０１０は、固定端１４から近位段１０１３、ブリッジ１０１５、および自由端１２まで延びる、遠位段１１、１０１１を備える。ここで、遠位端はブリッジ１０１５から延びる主延長部１１と、ブリッジ１０１５から主延長部１０１１に沿って、かつ、主延長部１１から離れた位置に延びる副延長部１０１１を備える。ここで、近位段１０１３と遠位段１１、１０１１の間に柔軟性の高いリンクを形成するのは、ブリッジ１０１５である。副延長部１０１１は、主延長部１１と対称面Ｐ内で角度を形成する。図２６に示されたスパイク１０１０ｂの変形例では、副延長部１０１１ｂもまた、対称面Ｐとの角度を形成する。
【００３３】
図２３および図２４に、本発明によるアプリケーター器具４の一実施形態における複数のスパイク１０１０および１０１０ｂの配列が示されている。ここでは、スパイク１０１０は第１の長手方向の列を形成し、スパイク１０１０ｂは第１の長手方向の列に隣接する第２の長手方向の列を形成する。ここで、スパイク１０１０は同一方向に配向され、これらの対称面Ｐは長手方向軸Ｘに対して直角であり、スパイク１０１０ｂはスパイク１０１０に対して９０°の方向に配向され、対称面Ｐは長手方向軸Ｘを通過している。他の配列は、スパイクの他の実施形態に関連して既に説明したものから派生させることが可能である。
【００３４】
図２７および図２８は、スパイク１０１０の変形例１１１０、およびスパイク１０１０の変形例１１１０ｂを示している。これらの変形例は、先に述べた第１の副延長部と対称性を有する、第２の副延長部１０１１および１０１１ｂを、それぞれ備えている。
【００３５】
図２９において、変形例１１１０ｃは、主延長部１１１１がテーパー形状ではなく、インカーブ状であるということによって、先行する２つのもの、特にスパイク１１１０と区別されている。
【００３６】
図３０において、スパイク１２１０は、副延長部１０１１、１０１１ｂが互いに９０°の位置にあるスパイク１１１０、１１１０ｂの変形例である。図３１において、スパイク１３１０は、副延長部１０１１、１０１１ｂが高さ方向にオフセットしたブリッジ１０１５上に配置されているスパイク１２１０の変形例である。このように、副延長部１０１１、１０１１ｂの各々は、関連する独立した柔軟なブリッジ１０１５から突出して延びている。
【００３７】
図３３は、その一部として、３つの二次延長部１０１１，１０１１ｂからなるスパイクの異形１４１０，１４１０ｂを示している。図３４は、その一部として、４つの二次延長部１０１１，１０１１ｂからなるスパイクの異形１５１０，１５１０ｂを示している。異なる二次延長部は、主延長部１１の周りに一様に分布していてもよいし、分布していなくてもよい。
【００３８】
図３２は、スパイク１０１０のもう１つの変形例を示している。この変形例のスパイク１６１０は、固定端１４から自由端１２まで、近位段１６１３と、ブリッジ１６１５と、遠位段１６１１、１６１７を備えている。遠位段は、主延長部１６１１と、主延長部１６１１に沿って、かつ主延長部１６１１から離れた位置でブリッジ１６１５から延びる副延長部１６１７を備える。さらに、スパイク１６１０は、近位段１６１３、ブリッジ１６１５、および主延長部１６１１に沿って、スパイク１６１０の全高にわたって延び、円Ｃ上に係合する第１の側面１６１２を備える。円Ｃは、長手方向軸Ｘに対して直角な平面内にあり、長手方向軸Ｘと円Ｃ上の円Ｃ面との交点にある。スパイクの面を支持する円Ｃのこのような構成は、より包括的な情報について参照することができる、特許文献１に詳細に記載されている。また、副延長部１６１７は、第１の面１６１２に対して対向する方向に配向され、円Ｄに係合する第２の側面１６１８を備える。
【００３９】
複数のスパイク１１１０、１５１０の配列を備えた、本発明によるアプリケーター器具６が、図３９に示されている。この配列は、スパイク１５１０の長手方向の列からなり、これらの列の各々は、スパイク１１１０からなる長手方向の隣接する列で両側に囲まれている。
【００４０】
図３５は、本発明によるアプリケーター器具用のスパイク１７１０の、もう１つの変形例を示している。スパイク１７１０は、固定端１４から、近位段１７１３と、ブリッジ１７１５と、自由端１２まで延びる遠位段１７１１，１７１７を備えている。遠位段は、ブリッジ１７１５を介して近位段１７１３に沿って延びる主延長部１７１７を備える。主延長部１７１７は、スパイク１７１０の平面Ｐ内に位置する内部平面１７１７ａを備える。遠位段はさらに、主延長部１７１７に沿って、かつ主延長部１７１７から離れて延びる副延長部１７１１を備える。副延長部１７１１は、平面Ｐには付随せず、かつ、後者から離れて延びる平坦な内面１７１１ａを備える。
【００４１】
図３６は、本発明によるアプリケーター器具用のスパイク１８１０の、さらに別の変形例を示している。スパイク１８１０は、固定端１４から、近位段１８１３、ブリッジ１８１５、および自由端１２まで延びる遠位段１７１１、１７１７を備える。遠位段は、ブリッジ１８１５を介して近位段１８１３に沿って延びている、互いに鏡写しとなる対称な２つの分岐１７１７を有する主延長部を備える。分岐１７１７は、スパイク１８１０の平面Ｐ内に位置する内部平面１７１７ａを備える。遠位段はさらに、主延長部に沿って、かつ主延長部から離れた位置に延びる副延長部１７１１を備える。副延長部１７１１は、平面Ｐには付随せず、かつ、後者から離れて延びる平坦な内面１７１１ａを備える。
【００４２】
延長部１７１７および／または１７１１は、各々が直線的な形で、あるいは、単一または複数のカーブに沿って湾曲した形で、垂直方向に延びている。
【００４３】
これまでのところ、本発明によるアプリケーター器具は、主にマスカラブラシまたはそれに似た形式で述べられてきた。以降の形態は、表皮（皮膚、唇）に対する適用に必要なものである。
【００４４】
図４２および図４３を参照して、本発明によるアプリケーター器具２０２０の、もう１つの実施形態を以下に述べる。本発明によるこのアプリケーター器具２０２０は、長手方向スリット２００２を備えているチューブ２００１を備える、中空のコア２０００を備える。チューブ２００１の外表面は、先に説明したスパイクの１つの構造を有することができるスパイク２０１０の配列を備える。このような構造の中空のコア２０００は、図４２ｂに示されるように、平面になるように展開することができる。これにより、実質的に円筒であるチューブ形状において複雑なスパイクを備えたコアの成形を可能とし、前述したようなその複雑なスパイクまたは平面および／またはコアの展開した形状で直接抜き取り成形することが極めて困難であり、不可能ですらあるようなそれ以外の抜き取り成形を可能とする。
【００４５】
本発明によるアプリケーター器具２０２０は、ランナー２０２２によって片側で縁取られた受容ハウジング２０２３を備えるサポート２０２１を、さらに備えている。コア２０００は、一度展開されると、ランナー２０２２に沿ってスライドさせることにより、受容ハウジング２０２３に導入される。本発明によるアプリケーター器具２０２０は、表皮に液体またはペースト状の製品を塗布するためのスパチュラを形成する。
【００４６】
図４４を参照し、展開可能な中空のコア３０００の第２の実施形態を以下に述べる。この変形例では、コア３０００は長手方向スリット３００２を備えるチューブ３００１を備えている。チューブ３００１の外表面は、前述したいずれかのスパイクの構造を有することが可能なスパイク１０の配列を備える。一方の端部では、コア３０００は本質的にテーパー形状のノーズコーン３００３を備える。ノーズコーン３００３が配置される端部におけるチューブ３００１は、傾斜した切欠き３００４を備える。この切欠きは、ノーズコーン３００３によって妨げられることなく、チューブ３００１を展開することを可能にする。コア３０００は、図中に示されるように、チューブ３００１の厚さを貫通し、スパイク１９の長手方向の列の間に配置された、長手方向のオリフィス３００５を備えている。変形例では、コア３０００は長手方向のオリフィス３００５は含まない。
【００４７】
図４５に参照されるように、本発明によるアプリケーター器具３０２０は、スライドすることによってコア３０００を受容することを意図したサポート３０２１を備える。サポートは上面に開口しており、塗布される液体またはペースト状の製品を受容することを意図した２つの長手方向のリザーバー３０２２を備えるエペ状の胴部３０２３を備えている。胴部３０２３は、ガード３０２４によって終端されている。図４５に示されるように、展開可能な中空のコア３０００はスライド式にサポート３０２１の本体３０２３に入れられ、胴部３０２３の形態は、コア３０００がガード３０２４に対してベアリング接触するようになるまで、チューブ３００１を漸次展開するように形取られており、ノーズコーン３００３はサポート３０２１の胴部の先端を受容する。所定の位置に配置されると、長手方向オリフィス３００５は、リザーバー３０２２に貯えられた製品がスパイク１０に到達することを可能にする。
【００４８】
図４６は、胴部３１２３が中実であり、リザーバーがないサポート３１２０の第１の変形例を示している。
【００４９】
図４７は、コア３０００がサポート３２２０上に配置されることにより、胴部３２２３が製品のリザーバーとして機能する凹部３２２２を備える、サポート３２２０の第２の変形例を示す。
【００５０】
図４８は、胴部３３２３がコア３０００によって覆われた上面から突出して延びる一連の突起部３３２２を備えているサポート３３２０の第３の変形例を示しており、サポート３３２０が一旦設置されると、突起部３３２２の間の空間が製品のリザーバーを形成する。加えて、これらの空間は、サポート３３２０の上面とコア３０００の内部面との間に「空隙」を残すことに留意すべきである。このように、これらの「空隙」はコア３０００がコスメティック用品の塗布時に曲がることを可能にし、塗布行為をより柔らかく、より触覚的（快適さの感覚）に与え、その後スパイクは、サポート３３２０の間隔とわずかに反対側に「つぶれる」コア３０００を押している。
【００５１】
図４９はサポートが配置されることにより、胴部３４２３がコア３０００によって覆われた面と反対側の面上にスパイク１０（前述の構造を取ることができる）の先行的なサポートの１つの変形例３４２０を示している。
【００５２】
図５０から図５２は、先行的なサポートの１つ、とりわけサポート３０２１の変形例３５２０を示している。サポート３５２０は、ガード３０２４のハンドル３０２６と同軸で貫通し、胴部３０２３の上部に開口した長手方向のリザーバー３０２２において出現する導管３０２５も備えているという点以外で、サポート３０２１と類似している。図５２に示される使用において、コスメティック用品またはケア用品Ｐは、ハンドル３０２６の後部から導管３０２５の中に注入され、次いでリザーバー３０２２に流入し、サポート３５２０上に設置されたコア３０００の長手方向のオリフィス３００５を通じて出てくることによって、矢印ＦＰによって示された流れに従う。
【００５３】
図５３から図５６を参照し、先行的なサポートの１つとして、限定されることはないが、とりわけサポート３１２０の変形例３６２０の説明を以下に述べる。サポート３６２０は、ガード３０２４のハンドル３０２６の端部から胴部３１２３の端部３１２６までサポート３６２０を長手方向に貫通する導管３１２５を備えているという点以外で、サポート３１２０と類似している。図５５または図５６に示される使用において、化粧品またはケア製品Ｐは、シャープペンシルの芯のように、ハンドル３０２６の後部から導管３１２５に注入され、次いで導管３１２５に沿って流れ、端部３１２６を通って出てくることによって、矢印ＦＰによって示された流れに従う。
【００５４】
サポート３６２０は、ここでは、導管３１２５の出力端３１２６に自由な部分を残すようにサポート３６２０に適合された、前述した中空のコア３０００の変形例である中空のコア３００９に取り付けられる。また、サポート３６２０は通常、コア３００９が取り付けられているサポート３６２０の面と対向した、特有の構造を有する面３６２４を備えている（多数のコーティング、例えばスポンジのようなセルを有する軟質材料の追加層、面３６２４の微細構造、あるいは、ユーザーが自然に使用する指先端の領域と同じ効果を有する、軟質材料および微細構造を呈する材料の任意の層など）。
【００５５】
図５７および図５８に示される、本発明によるアプリケーター器具の変形例では、サポート３６２０のハンドル３０２６に取り付けられたシャフト３７００を備えており、矢印ＦＰで示された製品Ｐの流れを実現するための手段３７０１および手段３７１０を備えている。手段３７０１は、押し込み動作３７０２が製品Ｐの流れを付与するような、プッシュボタン３７０１である。また、手段３７１０は、リング３７１０の回転３７１２が製品Ｐの流れを付与するように取り付けられた、リング３７１０である。プッシュボタン３７０１またはリング３７１０は、シャフト３７００に配置された製品Ｐの吐出システムとして作用する。この吐出システムは、使用される製品Ｐの整合性に応じては、ポンプまたは機械的なペンシル型システムとなる。
【００５６】
本発明によるアプリケーター器具用の、前述したスパイクのそのような構造は、ケラチン繊維をガイドしながら解きほぐすことができるよう、十分に剛性を有する遠位段を保持することを可能にし、近位段によって形成された柔軟なリンクおよび／またはブリッジがダンパーとして機能することによって、スパイクの自由端が下地の皮膚と接触するときに突く感覚を解消することを可能にすることが、上記から判る。また、スパイクの基部で使用中に得られる変形は、その時点で存在する製品がスパイクの自由端まで上昇することを可能にする。
【００５７】
最終的に、本発明によるアプリケーター器具は、その使用者に最適な快適さの感覚を提供しながら、コスメティック用品またはケア用品のチャージを改善し、（その最適な分離を確保しながら）ケラチン繊維または表皮への適用を改善することを可能にする。
【００５８】
明らかに、その範囲から決して逸脱することなく、本発明に多くの修正を加えることができる。
【図１ａ】
2021532919.tif 000003
【図１ｂ】
2021532919.tif 000004
【図１ｃ】
2021532919.tif 000005
【図１ｄ】
2021532919.tif 000006
【図２】
2021532919.tif 000007
【図３】
2021532919.tif 000008
【図４ａ】
2021532919.tif 000009
【図４ｂ】
2021532919.tif 000010
【図５ａ】
2021532919.tif 000011
【図５ｂ】
2021532919.tif 000012
【図６】
2021532919.tif 000013
【図７】
2021532919.tif 000014
【図８】
2021532919.tif 000015
【図９】
2021532919.tif 000016
【図１０】
2021532919.tif 000017
【図１１】
2021532919.tif 000018
【図１２】
2021532919.tif 000019
【図１３ａ】
2021532919.tif 000020
【図１３ｂ】
2021532919.tif 000021
【図１４ａ】
2021532919.tif 000022
【図１４ｂ】
2021532919.tif 000023
【図１５】
2021532919.tif 000024
【図１６ａ】
2021532919.tif 000025
【図１６ｂ】
2021532919.tif 000026
【図１６ｃ】
2021532919.tif 000027
【図１６ｄ】
2021532919.tif 000028
【図１７ａ】
2021532919.tif 000029
【図１７ｂ】
2021532919.tif 000030
【図１８】
2021532919.tif 000031
【図１９】
2021532919.tif 000032
【図２０】
2021532919.tif 000033
【図２１】
2021532919.tif 000034
【図２２】
2021532919.tif 000035
【図２３】
2021532919.tif 000036
【図２４】
2021532919.tif 000037
【図２５ａ】
2021532919.tif 000038
【図２５ｂ】
2021532919.tif 000039
【図２６】
2021532919.tif 000040
【図２７ａ】
2021532919.tif 000041
【図２７ｂ】
2021532919.tif 000042
【図２８】
2021532919.tif 000043
【図２９】
2021532919.tif 000044
【図３０ａ】
2021532919.tif 000045
【図３０ｂ】
2021532919.tif 000046
【図３１ａ】
2021532919.tif 000047
【図３１ｂ】
2021532919.tif 000048
【図３２ａ】
2021532919.tif 000049
【図３２ｂ】
2021532919.tif 000050
【図３３ａ】
2021532919.tif 000051
【図３３ｂ】
2021532919.tif 000052
【図３３ｃ】
2021532919.tif 000053
【図３４ａ】
2021532919.tif 000054
【図３４ｂ】
2021532919.tif 000055
【図３４ｃ】
2021532919.tif 000056
【図３５ａ】
2021532919.tif 000057
【図３５ｂ】
2021532919.tif 000058
【図３５ｃ】
2021532919.tif 000059
【図３５ｄ】
2021532919.tif 000060
【図３６ａ】
2021532919.tif 000061
【図３６ｂ】
2021532919.tif 000062
【図３６ｃ】
2021532919.tif 000063
【図３６ｄ】
2021532919.tif 000064
【図３７】
2021532919.tif 000065
【図３８】
2021532919.tif 000066
【図３９】
2021532919.tif 000067
【図４０】
2021532919.tif 000068
【図４１】
2021532919.tif 000069
【図４２ａ】
2021532919.tif 000070
【図４２ｂ】
2021532919.tif 000071
【図４３ａ】
2021532919.tif 000072
【図４３ｂ】
2021532919.tif 000073
【図４３ｃ】
2021532919.tif 000074
【図４４ａ】
2021532919.tif 000075
【図４４ｂ】
2021532919.tif 000076
【図４４ｃ】
2021532919.tif 000077
【図４５ａ】
2021532919.tif 000078
【図４５ｂ】
2021532919.tif 000079
【図４５ｃ】
2021532919.tif 000080
【図４６】
2021532919.tif 000081
【図４７ａ】
2021532919.tif 000082
【図４７ｂ】
2021532919.tif 000083
【図４８ａ】
2021532919.tif 000084
【図４８ｂ】
2021532919.tif 000085
【図４９】
2021532919.tif 000086
【図５０】
2021532919.tif 000087
【図５１】
2021532919.tif 000088
【図５２】
2021532919.tif 000089
【図５３】
2021532919.tif 000090
【図５４】
2021532919.tif 000091
【図５５】
2021532919.tif 000092
【図５６】
2021532919.tif 000093
【図５７】
2021532919.tif 000094
【図５８】
2021532919.tif 000095
【国際調査報告】
2021532919.tif 000096
2021532919.tif 000097
2021532919.tif 000098
2021532919.tif 000099
2021532919.tif 000100